(57)【要約】【課題】メールサーバと複数の通信端末装置とからなる通信システムにおいて、通信端末装置のユーザ辞書を効率的に更新できるシステムを提供する。【解決手段】メールサーバ１０１は、専門分野や地名、人名、店名等の固有名詞の単語の読みと表記とを登録した専門辞書、固有名詞辞書１１１を備える。携帯電話機１０２のメールアドレスと特定相手の携帯電話機のメールアドレスをメールサーバ１０１の登録部１１２に登録する。携帯電話機１０２がメールサーバ１０１を介して特定相手と送受信するメールの文章中の単語が専門辞書、固有名詞辞書１１１にあれば、メールサーバ１０１からその単語を受信する。制御部１３０は受信した単語がメモリ１２４にある基本辞書やユーザ辞書１２８に登録されていないとき、ユーザ辞書１２８に当該単語を登録する。【選択図】  図１
2004328390.tif 000002
【特許請求の範囲】
【請求項１】
メールサーバと複数の通信端末装置とからなる通信システムであって、
前記メールサーバは、
単語の読みと表記とを登録した辞書と、
前記通信端末装置を識別するメールアドレスと相手のメールアドレスとを登録する登録手段と、
前記登録手段に登録されたメールアドレスで識別される通信端末装置と相手のメールアドレスで識別される通信端末装置間で送受信するメール文章に、前記辞書に登録された単語が存在するとき、当該単語の読みと表記とを当該通信端末装置に送信する単語送信手段とを備え、
前記各通信端末装置は、
ユーザ辞書と、
前記メールサーバに自装置を識別するメールアドレスと相手のメールアドレスとを通知する通知手段と、
前記メールサーバから単語の読みと表記とを受信する受信手段と、
受信手段で受信された各単語の読みと表記とがユーザ辞書に登録されているか否かを判定する判定手段と、
前記判定手段で登録されていないと判定されたとき、ユーザ辞書に当該単語を登録する単語登録手段とを備えることを特徴とする通信システム。
【請求項２】
複数の通信端末装置と接続されるメールサーバであって、
単語の読みと表記とを登録した辞書と、
前記通信端末装置を識別するメールアドレスと相手のメールアドレスとを登録する登録手段と、
前記登録手段に登録されたメールアドレスで識別される通信端末装置と相手のメールアドレスで識別される通信端末装置間で送受信するメール文章に前記辞書に登録された単語が存在するとき、当該単語の読みと表記とを当該通信端末装置に送信する単語送信手段とを備えることを特徴とするメールサーバ。
【請求項３】
前記辞書には、
専門用語の登録された専門辞書及び地名、人名、店名の登録された固有名詞辞書を含むことを特徴とする請求項２記載のメールサーバ。
【請求項４】
前記単語送信手段は、
前記メール文章を記憶する文章記憶部と、
前記メール文章が送受信される通信端末装置を識別するメールアドレスと相手のメールアドレスとが前記登録手段に登録されているか否かを判定する判定部と、
前記判定部で登録されていると判定されたとき、前記文章記憶部に記憶されているメール文章を形態素解析して単語単位に分割する分割部と、
前記分割部で分割された単語の表記が、前記辞書に登録されているか否かを検索し、登録されていれば対になる読みとともに抽出する検索抽出部とを有することを特徴とする請求項３記載のメールサーバ。
【請求項５】
前記単語送信手段は、
前記検索抽出部で抽出された読みと表記とを相手のメールアドレスを送信元とするときは、そのまま、前記通信端末を識別するメールアドレスを送信先にするときは、前記メール文章に読みと表記とを付加して送信することを特徴とする請求項４記載のメールサーバ。
【請求項６】
メールサーバと接続される通信端末装置であって、
ユーザ辞書と、
前記メールサーバに自装置を識別するメールアドレスと相手のメールアドレスとを通知する通知手段と、
前記メールサーバから単語の読みと表記とを受信する受信手段と、
受信手段で受信された各単語の読みと表記とがユーザ辞書に登録されているか否かを判定する判定手段と、
前記判定手段で登録されていないと判定されたとき、ユーザ辞書に当該単語を登録する単語登録手段とを備えることを特徴とする通信端末装置。
【請求項７】
前記通信端末装置は、携帯電話機であり、
前記メールサーバの文章記憶部に記憶されているメール文章は、メールアドレスで識別される携帯電話機から相手のメールアドレスで識別される携帯電話機との間で送受信されるメールの文章であり、
前記受信手段は、
受信された単語の読みと表記との対を表示する表示部と、
表示された単語を登録するか否かをユーザが選択する選択部とを有し、
前記単語登録手段は、前記選択部で登録する旨の選択された単語の読みと表記とだけを登録することを特徴とする請求項６記載の通信端末装置。
【請求項８】
メールサーバと複数の通信端末装置とからなる通信システムの通信方法であって、
前記メールサーバにおいて、
前記通信端末装置を識別するメールアドレスと相手のメールアドレスとを登録する登録ステップと、
前記登録ステップで登録されたメールアドレスで識別される通信端末装置と相手のメールアドレスで識別される通信端末装置間で送受信するメール文章に、単語の読みと表記とを登録した辞書に登録された単語が存在するとき、当該単語の読みと表記とを当該通信端末装置に送信する単語送信ステップとを有し、
前記各通信端末装置において、
前記メールサーバに自装置を識別するメールアドレスと相手のメールアドレスとを通知する通知ステップと、
前記メールサーバから単語の読みと表記とを受信する受信ステップと、
受信ステップで受信された各単語の読みと表記とがユーザ辞書に登録されているか否かを判定する判定ステップと、
前記判定ステップで登録されていないと判定されたとき、前記ユーザ辞書に当該単語を登録する単語登録ステップとを有することを特徴とする通信方法。
【請求項９】
ユーザ辞書を有する複数の通信端末装置と接続されたメールサーバのユーザ辞書登録方法であって、
前記通信端末装置を識別するメールアドレスと相手のメールアドレスとを登録する登録ステップと、
前記登録ステップで登録されたメールアドレスで識別される通信端末装置と相手のメールアドレスで識別される通信端末装置間で送受信するメール文章に、単語の読みと表記とを登録した辞書に登録された単語が存在するとき、当該単語の読みと表記とを当該通信端末装置に送信する単語送信ステップとを有することを特徴とするユーザ辞書登録方法。
【請求項１０】
メールサーバに接続された通信端末装置のユーザ辞書登録方法であって、
前記メールサーバに自装置を識別するメールアドレスと相手のメールアドレスとを通知する通知ステップと、
前記メールサーバから単語の読みと表記とを受信する受信ステップと、
受信ステップで受信された各単語の読みと表記とがユーザ辞書に登録されているか否かを判定する判定ステップと、
前記判定ステップで登録されていないと判定されたとき、ユーザ辞書に当該単語を登録する単語登録ステップとを有することを特徴とするユーザ辞書登録方法。
【発明の詳細な説明】
【０００１】
【発明の属する技術分野】
本発明は、メールサーバと複数の通信端末装置とからなる通信システムにおける各通信端末装置が有するユーザ辞書の単語登録をする技術に関する。
【０００２】
【従来の技術】
従来から、携帯電話機のような通信端末装置において、文章を作成する際には、先ず、平仮名文字を入力した後に、通信端末装置が備える基本辞書やユーザ辞書を用いて平仮名・漢字変換や平仮名・カナ変換がなされて所望の表記を得ている。
【０００３】
しかし、通信端末装置が有する基本辞書やユーザ辞書はメモリ量の制約から大規模なものではないので、単語単位の変換であっても所望の変換がなされないのが現状である。そのため、文章を入力するユーザは、入力モードを変更しながら、所望の表記となるよう煩雑な操作を繰り返している。
このように辞書の貧弱なことによる問題を解決するための技術として、例えば、辞書を共用するシステムとして、特許文献１がある。この技術は、辞書サーバから必要な辞書データをダウンロードして用いるものである。
【０００４】
【特許文献１】
特開平１０−２６０９６０号公報
【０００５】
【発明が解決しようとする課題】
しかし、辞書データを大量にユーザ辞書に取り込むのであれば、最初から基本辞書に大規模なものを用いるのと変わりがなく、メモリ資源の乏しい、例えば携帯電話機では、難点となる。
また、特定の相手とだけで頻繁に用いる単語があり、一般の辞書に登録されていない場合もある。
【０００６】
本発明は、ユーザにとって必要な単語をユーザ辞書に容易に登録できる通信システム及びメールサーバ並びに通信端末装置を提供することを目的とする。
【０００７】
【課題を解決する為の手段】
本発明は、メールサーバと複数の通信端末装置とからなる通信システムであって、前記メールサーバは、単語の読みと表記とを登録した辞書と、前記通信端末装置を識別するメールアドレスと相手のメールアドレスとを登録する登録手段と、前記登録手段に登録されたメールアドレスで識別される通信端末装置と相手のメールアドレスで識別される通信端末装置間で送受信するメール文章に前記辞書に登録された単語が存在するとき、当該単語の読みと表記とを当該通信端末装置に送信する単語送信手段とを備え、前記各通信端末装置は、ユーザ辞書と、前記メールサーバに自装置を識別するメールアドレスと相手のメールアドレスとを通知する通知手段と、前記メールサーバから単語の読みと表記とを受信する受信手段と、受信手段で受信された各単語の読みと表記とがユーザ辞書に登録されているか否かを判定する判定手段と、前記判定手段で登録されていないと判定されたとき、ユーザ辞書に当該単語を登録する単語登録手段とを備えることとしている。
【０００８】
【発明の実施の形態】
本発明に係る通信システムの実施の形態について、図面を用いて説明する。
（一実施の形態）
図１は、本発明に係る通信システムの一実施の形態の構成図である。
この通信システムは、メールサーバ１０１と、複数の通信端末装置である携帯電話機１０２等とが基地局１０３を介して接続されている。メールサーバ１０１と基地局１０３間は、公衆回線網１０４で接続され、携帯電話機１０２と基地局１０３間は無線で通信される。
【０００９】
メールサーバ１０１は、専門辞書、固有名詞辞書１１１と、登録部１１２と、文章記憶部１１３と、送受信部１１４と、解析部１１５と、検索部１１６とを備えている。
携帯電話機１０２は、アンテナ１２１と、ＲＦ部１２２と、ＢＢ部１２３と、メモリ１２４と、マイク１２５と、スピーカ１２６と、表示部１２７と、ユーザ辞書１２８と、操作部１２９と、制御部１３０とを備えている。
【００１０】
先ず、メールサーバ１０１について説明する。
専門辞書、固有名詞辞書１１１は、各単語の読みと表記との対として登録しており、例えば、情報処理技術、電気、高分子化学等の専門用語を登録し、地名、人名、店名等の固有名詞を登録している。
図２は、固有名詞辞書１１１の内容の一例を示している。固有名詞辞書２０１は、単語の読み２０２と表記２０３とを対にして登録している。
【００１１】
登録部１１２は、解析すべきメール文章を送受信する携帯電話機１０２等のメールアドレスとその相手の携帯電話機のメールアドレスとの組を送信一覧表に登録している。
図３は、登録部１１２に登録されている送信一覧表の一例を示す図である。
送信一覧表３０１には、携帯電話機のメールアドレス３０２と相手携帯電話機のメールアドレス３０３とが組に登録されている。
【００１２】
携帯電話機のメールアドレス３０２は、メールサーバ１０１が有する専門辞書、固有名詞辞書１１１を検索して、自身が送受信先となるメール文章中の単語の送信を希望するユーザにより登録され、相手携帯電話機のメールアドレス３０３は、当該ユーザが特定するメール文章中の送受信先として登録される。
後述する解析部１１５は、この携帯電話機のメールアドレス３０２と相手携帯電話機のメールアドレス３０３とに登録された両携帯電話機間で送受信されるメール文章を解析する。
【００１３】
例えば、送信一覧表３０１の第５行目には、単語の送信を希望する携帯電話機のメールアドレス「ｋｉｙｏ＠ｓａｎ．ｃｏ．ｊｐ」とそのメールの相手携帯電話機のメールアドレス「ｕｅｙａ＠ｓａｎ．ｃｏ．ｊｐ」とが登録されている。
登録部１１２は、送受信部１１４から携帯電話機１０２等から自身のメールアドレスと、他の携帯電話機の相手携帯電話機のメールアドレスとの登録指示を通知されると送信一覧表３０１に組にして登録する。
【００１４】
また、送受信部１１４からメールの文章の送信元と送信先とのメールアドレスの通知を受けると、送信一覧表４０１に登録されている携帯電話機のメールアドレス３０２と相手携帯電話機のメールアドレス３０３との組に一致するものがあるか否かを判定する。一致するメールアドレスの組があるときには、解析部１１５に解析指示を通知する。
【００１５】
併せて、登録部１１２は、送信元又は送信先として携帯電話機のメールアドレス３０２を送受信部１１４にも通知する。
文章記憶部１１３は、携帯電話機１０２等から送受信されたメールの文章を送受信部１１４によって記録される。
図４は、文章記憶部１１３に記憶されたメールの文章４０１の一例を示す図である。
【００１６】
送受信部１１４は、携帯電話機１０２等から自身の携帯電話機のメールアドレスとの通知を受信すると、登録部１１２にそれらのメールアドレスを登録するよう指示する。
また、送受信部１１４は、携帯電話機１０２等からメールの文章を受信すると、文章記憶部１１３にメールの文章を記憶させ、登録部１１２にメールの送信元と送信先のメールアドレスを通知する。
【００１７】
登録部１１２から送信元又は送信先としての携帯電話機のメールアドレス３０２の通知を受け、その後、検索部１１６から単語の読みと表記との通知を受けると、メールアドレスで識別される携帯電話機１０２等に単語を送信する。なお、携帯電話機１０２等がメールの送信先であるときは、メールの文章に付加して単語の読みと表記とを送信し、メールの送信元であるときには、単語の読みと表記とを送信する。
【００１８】
解析部１１５は、形態素辞書を有し、登録部１１２から解析指示の通知を受けると、文章記憶部１１３に記憶されているメールの文章５０１を読み出し、形態素解析を行い、文章５０１を単語単位に分割し、単語の表記を検索部１１６に通知する。
検索部１１６は、解析部１１５から文章に含まれる単語の表記の通知を受けると、専門辞書、固有名詞辞書１１１に通知された単語の表記が登録されているか否かを検索し、登録されているときは、その単語の読みと表記との対を送受信部１１４に通知する。
【００１９】
次に、携帯電話機１０２について説明する。
アンテナ１２１は、基地局１０３との間で高周波信号の送受信を行う。
ＲＦ部は１２２には、アンテナ１２１より入力される高周波信号を中間周波信号に変換してＢＢ部１２３に出力し、また、ＢＢ部１２３から入力される中間周波信号を高周波信号に変換して、アンテナ１２１に出力する。
【００２０】
ＢＢ部１２３には、ＲＦ部１２２と制御部１３０とから入力される信号についてベースバンド処理を行い、制御部１３０とＲＦ部１２２とにそれぞれ出力する。
メモリ部１２４は、制御部１３０の動作を制御する制御プログラムを記憶している。また、単語の読みと表記の対を登録している基本辞書を記憶している。
【００２１】
マイク１２５は、ユーザの音声を集音し、音声信号に変換して制御部１３０を介してＢＢ部１２３に出力する。
スピーカ１２６は、制御部１３０を介してＢＢ部１２３から出力された他の携帯電話機からの音声信号を音声に変換して出力する。
表示部１２７は、液晶等からなり、制御部１３０の制御に従い、携帯電話機１０２の状態等を表示する。また、表示部１２７は、操作部１２９から入力される文字を表示したり、他の携帯電話機から送信されてくる文字や画像を表示する。
【００２２】
図５は、携帯電話機１０２の正面図である。表示部１２７の表示画面には、単語送信登録モードの初期画面５０１が表示されている。なお、初期画面５０１で「相手のメールアドレス」の下段に表示されている「ｕｅｙａ＠ｓａｎ．ｃｏ．ｊｐ」は、まだ表示されていない。「登録」５０２と「キャンセル」５０３の各ソフトボタンは表示されている。
【００２３】
ユーザ辞書１２８は、メモリ１２４に記憶されている基本辞書に登録されていない単語を登録している。この登録は、単語送信登録モードによるメールサーバ１０１から通知された単語を登録する場合と、従来からの個別の単語の登録の場合がある。
図６は、ユーザ辞書１２８の一例を示す図である。ユーザ辞書６０１には、単語の読み６０２と表記６０３がと対になって登録されている。ユーザの使用頻度の高い単語が登録されている。
【００２４】
操作部１２９は、ユーザ操作を受け付け、制御部１３０にその操作内容を通知する。
図５に示したように、単語送信登録モードを選択し、初期画面５０１が表示されているとき、相手のメールアドレス「ｕｅｙａ＠ｓａｎ．ｃｏ．ｊｐ」を操作して入力し、登録ボタン５０２を操作してメールサーバ１０１に登録する。
【００２５】
この操作内容を受けた制御部１３０は、例えば、自身のメールアドレス「ｋｉｙｏ＠ｓａｎｙｏ．ｃｏ．ｊｐ」とともに、この相手のメールアドレス「ｕｅｙａ＠ｓａｎ．ｃｏ．ｊｐ」をＲＦ部１２２等を介してメールサーバ１０１に送信する。なお、「キャンセル」ボタン５０３を操作すると、単語送信登録モードは解除される。
【００２６】
これによって、メールサーバ１０１の登録部１１２にある送信一覧表４０１に登録される。
制御部１３０は、ＣＰＵを含み、メモリ１２４に記憶されている制御プログラムに従い、携帯電話機１０２の各部を制御する。
図７は、単語送信登録の動作を説明するフローチャートである。制御部１３０の動作を中心に説明する。
【００２７】
制御部１３０は、操作部１２９で選択されたモードが単語送信登録モードになるのを待ち（Ｓ７０２）、操作部１２９からユーザによる相手携帯電話機のメールアドレスの入力を待ち（Ｓ７０４）、次に登録ボタン５０２が操作されたか否かを判定する（Ｓ７０６）。
制御部１３０は、登録ボタン５０２が操作されると（Ｓ７０６）、自装置のメールアドレスと、入力された相手のメールアドレスとをメールサーバ１０１に送信する（Ｓ７０８）。
【００２８】
メールサーバ１０１の送受信部１１４がこれを受信すると、登録部１２１は、送信一覧表３０１に図３に示したように登録し（Ｓ７１０）、処理を終了する。
制御部１３０は、Ｓ７０６において、登録ボタン５０２の操作がなければ、キャンセルボタン５０３が操作されたか否かを判定する（Ｓ７１２）。操作されたときは、処理を終了し、操作がなければ、更にＳ７０４に戻る。Ｓ７０４において、更に別の相手携帯電話機のメールアドレスを入力すると、同時に複数の相手を登録することもできる。
【００２９】
次に、携帯電話機１０２にメールサーバ１０１を介してメールが送信されてくる場合の動作を図８のフローチャートを用いて説明する。
メールサーバ１０１の文章記憶部１１３にメールの文章、例えば図４に示す文章４０１が記憶される。登録部１１５は、この文章の送信元及び送信先のメールアドレスを送受信部１１４から通知されると、送信一覧表４携帯電話機のメールアドレス３０２と相手メールアドレス３０３のいずれかの組に登録されているか否かを判定し（Ｓ８０２）、登録されているとき、解析部１１５に解析指示を通知する。
【００３０】
解析部１１５は、文章記憶部１１３に記憶されている文章４０１を取得し、形態素解析を行い単語に分割する（Ｓ８０４）。
検索部１１６は、解析部１１５で、分割された単語を一つ取得し（Ｓ８０６）、単語が専門辞書。固有名詞辞書１１１の表記にあるか否かを判定する（Ｓ８０８）。あるときは、専門辞書、固有名詞辞書１１１からその単語の読みと表記との対を得る（Ｓ８１０）。
【００３１】
Ｓ８０８において、否と判定したときは、解析部１１５で分割された分割された単語がまだあるか否かを判定し（Ｓ８１２）、あればＳ８０６に戻る。
ないときは、送受信部１１４は送信一覧表３０１の携帯電話機のメールアドレス３０２が、メールの文章の送信先か否かを判定する（Ｓ８１４）。送信先であれば、メールの文章に付加して得られた単語の読み表記との対を送信する（Ｓ８１６）。送信先ではなく、送信元のときには、単語の読みと表記との対を送信し（Ｓ８１８）、処理を終了する。
【００３２】
上述の図８のフローチャートで説明したように、携帯電話機１０２にメールの文章とともに単語がメールサーバ１０１から送信されたとき、表示部１２７には、制御部１３０によって、メールの文章と単語の読みと表記とが表示される。
図９は、例えば、文章４０１が送信一覧表３０１の第５行目の相手携帯電話機のメールアドレス「ｕｅｙａ＠ｓａｎ．ｃｏ．ｊｐ」を送信元とし、携帯電話機１０２のメールアドレス「ｋｉｙｏ＠ｓａｎ．ｃｏ．ｊｐ」を送信先としているとき、その表示画面を示している。表示画面９０１には、メールの文章４０１とともに単語の読みと表記９０２とが表示される。この単語が基本辞書やユーザ辞書１２８に登録されていないとき、ユーザ辞書１２８に登録される。
【００３３】
図１０は、更新されたユーザ辞書１００１の内容の一例を示す図である。図６に示したユーザ辞書６０１の内容に、固有名詞辞書１１１に登録されていた単語１００２が新たに登録されている。
次に、このユーザ辞書の更新の動作を図１１のフローチャートを用いて説明する。
【００３４】
制御部１３０は、アンテナ１２１等を介してメールの文章とメールの文章に含まれる選択したジャンルの単語の読みと表記との対を受信するのを待つ（Ｓ１１０２）。単語を１つ取得して（Ｓ１１０４）、メモリ１２４に記憶されている基本辞書にその表記が登録されているか否かを判定する（Ｓ１１０６）。
登録されていれば、Ｓ１１１２に移り、登録されていなければ、ユーザ辞書１２８にその単語の読みと表記とを対にして登録する（Ｓ１１１０）。
【００３５】
登録されているときには、受信された単語がまだあるか否かを判定し（Ｓ１１１２）、なければ処理を終了し、あるときはＳ１１０４に戻る。
なお、上記実施の形態では、携帯電話機１０２のユーザ辞書１２８に登録されていない、メールサーバ１０１から送信されてきた単語全てを登録するようにしたけれども、ユーザが選択ボタンを用いて選択的に登録するようにしてもよい。
【００３６】
また、上記実施の形態において、メールサーバ１０１の登録部１１２に記憶されている送信一覧表３０１に登録された携帯電話機のメールアドレスごとに、送信した単語を管理するようにして、一度送信した単語は、送信しないようにしてもよいし、一定期間経過後に送信するようにしてもよい。
このようにすると、携帯電話機１０２でのユーザ辞書１２８への登録の判断を何度でも繰り返す必要はなくなるし、また、一定期間の間にユーザ辞書１２８の更新があり、使用頻度の高い単語であっても登録が抹消されていることがあるからである。
【００３７】
また、上記実施の形態では、通信端末装置を携帯電話機１０２として説明したけれども、携帯電話機１０２に限るものではなく、ＰＤＡ（ｐｅｒｓｏｎａｌ  ｄｉｇｉｔａｌ  ａｓｓｉｓｔａｎｔｓ）やＰＣ（ｐｅｒｓｏｎａｌ  ｃｏｍｐｕｔｅｒ）であってもよいのは勿論である。
【００３８】
【発明の効果】
以上説明したように、本発明は、メールサーバと複数の通信端末装置とからなる通信システムであって、前記メールサーバは、単語の読みと表記とを登録した辞書と、前記通信端末装置を識別するメールアドレスと相手のメールアドレスとを登録する登録手段と、前記登録手段に登録されたメールアドレスで識別される通信端末装置と相手のメールアドレスで識別される通信端末装置間で送受信するメール文章に、前記辞書に登録された単語が存在するとき、当該単語の読みと表記とを当該通信端末装置に送信する単語送信手段とを備え、前記各通信端末装置は、ユーザ辞書と、前記メールサーバに自装置を識別するメールアドレスと相手のメールアドレスとを通知する通知手段と、前記メールサーバから単語の読みと表記とを受信する受信手段と、受信手段で受信された各単語の読みと表記とがユーザ辞書に登録されているか否かを判定する判定手段と、前記判定手段で登録されていないと判定されたとき、ユーザ辞書に当該単語を登録する単語登録手段とを備えることとしている。このような構成によって、各通信端末装置では、予めメールサーバに通知した特定相手のメールアドレスからユーザに送信されるメール文章中又はユーザから特定相手に送信したメール文章中にメールサーバの辞書に登録された単語が存在するとき、メールサーバからその単語の読みと表記とを受信し、自身のユーザ辞書に登録されていないとき、当該単語を登録することができる。従って、特定相手との使用頻度の高い単語を容易にユーザ辞書に登録することができ、文章作成の平仮名文字の変換操作の煩雑さを回避できる。
【００３９】
また、本発明は、複数の通信端末装置と接続されるメールサーバであって、単語の読みと表記とを登録した辞書と、前記通信端末装置を識別するメールアドレスと相手のメールアドレスとを登録する登録手段と、前記登録手段に登録されたメールアドレスで識別される通信端末装置と相手のメールアドレスで識別される通信端末装置間で送受信するメール文章に前記辞書に登録された単語が存在するとき、当該単語の読みと表記とを当該通信端末装置に送信する単語送信手段とを備えることとしている。このような構成によって、通信端末装置から指定された特定相手のメール文章中に辞書に登録された単語が含まれているとき、通信端末装置に当該単語の読みと表記とを送信するので、通信端末装置では、ユーザ辞書に登録して、ユーザの使用頻度の高い単語の変換の効率を上げることができる。
【００４０】
また、前記辞書には、専門用語の登録された専門辞書及び地名、人名、店名の登録された固有名詞辞書を含むこととしている。このような構成によって、通信端末装置を利用するユーザは、特定相手とだけ頻繁に用いる単語を得ることができる。
また、前記単語送信手段は、前記メール文章を記憶する文章記憶部と、前記メール文章が送受信される通信端末装置を識別するメールアドレスと相手のメールアドレスとが前記登録手段に登録されているか否かを判定する判定部と、前記判定部で登録されていると判定されたとき、前記文章記憶部に記憶されているメール文章を形態素解析して単語単位に分割する分割部と、前記分割部で分割された単語の表記が、前記辞書に登録されているか否かを検索し、登録されていれば対になる読みとともに抽出する検索抽出部とを有することとしている。このような構成によって、メールサーバは、通信端末装置から登録されたメールの相手先とのメール文章中の単語を確実に抽出して、当該通信端末装置に送信することができる。
【００４１】
また、前記単語送信手段は、前記検索抽出部で抽出された読みと表記とを相手のメールアドレスを送信元とするときは、そのまま、前記通信端末を識別するメールアドレスを送信先にするときは、前記メール文章に読みと表記とを付加して送信することとしている。このような構成によって、メールの送信先の通信端末装置では、使用頻度の高くなると思われるメールの文章中の単語をメールの文章とともに受信できるので、ユーザ辞書に登録して単語入力に有効に利用することができる。また、メールの送信元の通信端末装置では、単語だけを受信してユーザ辞書に登録し、次回からの単語入力に有効に利用することができる。
【００４２】
また、本発明は、メールサーバと接続される通信端末装置であって、ユーザ辞書と、前記メールサーバに自装置を識別するメールアドレスと相手のメールアドレスとを通知する通知手段と、前記メールサーバから単語の読みと表記とを受信する受信手段と、受信手段で受信された各単語の読みと表記とがユーザ辞書に登録されているか否かを判定する判定手段と、前記判定手段で登録されていないと判定されたとき、ユーザ辞書に当該単語を登録する単語登録手段とを備えることとしている。このような構成によって、メールサーバに予め登録したメール相手との文章中の単語の送信を受け、ユーザ辞書を更新することができる。したがって、ユーザ辞書の利用価値が増す。
【００４３】
また、前記通信端末装置は、携帯電話機であり、前記メールサーバの文章記憶部に記憶されているメール文章は、メールアドレスで識別される携帯電話機から相手のメールアドレスで識別される携帯電話機との間で送受信されるメールの文章であり、前記受信手段は、受信された単語の読みと表記との対を表示する表示部と、表示された単語を登録するか否かをユーザが選択する選択部とを有し、前記単語登録手段は、前記選択部で登録する旨の選択された単語の読みと表記とだけを登録することとしている。このような構成によって、通信端末装置のユーザ辞書をユーザの意思で更新することができる。
【００４４】
また、本発明は、メールサーバと複数の通信端末装置とからなる通信システムの通信方法であって、前記メールサーバにおいて、前記通信端末装置を識別するメールアドレスと相手のメールアドレスとを登録する登録ステップと、前記登録ステップで登録されたメールアドレスで識別される通信端末装置と相手のメールアドレスで識別される通信端末装置間で送受信するメール文章に、単語の読みと表記とを登録した辞書に登録された単語が存在するとき、当該単語の読みと表記とを当該通信端末装置に送信する単語送信ステップとを有し、前記各通信端末装置において、前記メールサーバに自装置を識別するメールアドレスと相手のメールアドレスとを通知する通知ステップと、前記メールサーバから単語の読みと表記とを受信する受信ステップと、受信ステップで受信された各単語の読みと表記とがユーザ辞書に登録されているか否かを判定する判定ステップと、前記判定ステップで登録されていないと判定されたとき、前記ユーザ辞書に当該単語を登録する単語登録ステップとを有することとしている。このような方法によって、各通信端末装置では、予めメールサーバに通知した特定相手のメールアドレスからユーザに送信されるメール文章中又はユーザから特定相手に送信したメール文章中にメールサーバの辞書に都録された単語が存在するとき、メールサーバからその単語の読みと表記とを受信し、自身のユーザ辞書に登録されていないとき、当該単語を登録することができる。従って、特定相手との使用頻度の高い単語を容易にユーザ辞書に登録することができ、文章作成の平仮名文字の変換操作の煩雑さを回避できる。
【００４５】
また、本発明は、ユーザ辞書を有する複数の通信端末装置と接続されたメールサーバのユーザ辞書登録方法であって、前記通信端末装置を識別するメールアドレスと相手のメールアドレスとを登録する登録ステップと、前記登録ステップで登録されたメールアドレスで識別される通信端末装置と相手のメールアドレスで識別される通信端末装置間で送受信するメール文章に、単語の読みと表記とを登録した辞書に登録された単語が存在するとき、当該単語の読みと表記とを当該通信端末装置に送信する単語送信ステップとを有することとしている。このような方法によって、通信端末装置から指定された特定相手のメール文章中に辞書に登録された単語が含まれているとき、通信端末装置に当該単語の読みと表記とを送信するので、通信端末装置では、ユーザ辞書に登録して、ユーザの使用頻度の高い単語の変換の効率を上げることができる。
【００４６】
更に、本発明は、メールサーバに接続された通信端末装置のユーザ辞書登録方法であって、前記メールサーバに自装置を識別するメールアドレスと相手のメールアドレスとを通知する通知ステップと、前記メールサーバから単語の読みと表記とを受信する受信ステップと、受信ステップで受信された各単語の読みと表記とがユーザ辞書に登録されているか否かを判定する判定ステップと、前記判定ステップで登録されていないと判定されたとき、ユーザ辞書に当該単語を登録する単語登録ステップとを有することとしている。このような方法によって、メールサーバに予め登録したメール相手との文章中の単語の送信を受け、ユーザ辞書を更新することができる。したがって、ユーザ辞書の利用価値が増す。
【図面の簡単な説明】
【図１】本発明に係る通信システムの一実施の形態の構成図である。
【図２】上記実施の形態の固有名詞辞書の内容の一例を示す図である。
【図３】上記実施の形態のメールサーバの登録部に登録されたユーザ辞書の更新を希望する携帯電話機のメールアドレスと相手携帯電話機のメールアドレスとの組を記録した送信一覧表の一例を示すである。
【図４】上記実施の形態のメールサーバの文章記憶部に記憶された文章の一例を示す図である。
【図５】上記実施の形態の携帯電話機からメールサーバへのユーザ辞書更新の単語送信登録モードの初期画面の一例を示す図である。
【図６】上記実施の形態のユーザ辞書の内容の一例を示す図である。
【図７】上記実施の形態の通信システムにおける相手携帯電話機のメールアドレスの登録の動作を説明するフローチャートである。
【図８】上記実施の形態のメールサーバの動作を説明するフローチャートである。
【図９】上記実施の形態の携帯電話機でメールサーバを経由して受信したメールの表示画面の一例を示す図である。
【図１０】上記実施の形態の携帯電話機の更新されたユーザ辞書の一例を示す図である。
【図１１】上記実施の形態の携帯電話機におけるユーザ辞書の更新動作を説明するフローチャートである。
【符号の説明】
１０１    メールサーバ
１０２    携帯電話機
１０３    基地局
１０４    公衆回線網
１１１    専門辞書、固有名詞辞書
１１２    登録部
１１３    文章記憶部
１１４    送受信部
１１５    解析部
１１６    検索部
１２１    アンテナ
１２２    ＲＦ部
１２３    ＢＢ部
１２４    メモリ
１２５    マイク
１２６    スピーカ
１２７    表示部
１２８    ユーザ辞書
１２９    操作部
１３０    制御部
【図１】
2004328390.tif 000003
【図２】
2004328390.tif 000004
【図３】
2004328390.tif 000005
【図４】
2004328390.tif 000006
【図５】
2004328390.tif 000007
【図６】
2004328390.tif 000008
【図７】
2004328390.tif 000009
【図８】
2004328390.tif 000010
【図９】
2004328390.tif 000011
【図１０】
2004328390.tif 000012
【図１１】
2004328390.tif 000013